Podtech/llm-jp-corpus-v4-ja_patent huggingface dataset:
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2014525420.tif 000001
（式中、
Xは、フッ素原子であり;
Rは、水素原子またはアルキルであり;
R1は、(1) １ないし３個のハロゲン原子で置換されていてもよいシクロプロピルまたは(2) １ないし３個のハロゲン原子で置換されていてもよいフェニルであり;
R2は、ハロゲン原子およびヒドロキシルからなる群から選ばれる１または２個の置換基で置換されていてもよいアルキル；アルコキシ；ハロアルコキシ；塩素原子；シアノ；シクロプロピル；ニトロ；アミノ；ホルミル；アルケニルまたはアルキニルであり；または
R1およびR2は結合して、アルキルで置換されていてもよい５または６員環を形成し；
R3は、
(1) 下記(a)〜(q)からなる群から選ばれる１または２個の置換基で置換されていてもよい3-ピリジル
(a) ハロゲン原子、
(b) シアノ、
(c) ニトロ、
(d) ヒドロキシ、
(e) アミノ、
(f) ハロゲン原子、アルキルアミノ、ジアルキルアミノおよびヒドロキシからなる群から選ばれる１ないし３個の置換基で置換されていてもよいアルキル、
(g) アルケニル、アルキニル、
(h) アリール、
(i) シクロアルキル、
(j) アルコキシ、
(k) アルキルアミノ、
(l) ジアルキルアミノ、
(m) １ないし３個のハロゲン原子で置換されていてもよいフェニルアミノ、
(n) アルコキシカルボニルで置換されていてもよい環状アミノ基、
(o) ホルミル、
(p) ヒドロキシで置換されていてもよいアルキルで置換されていてもよいカルバモイル、および
(q) アルキルで置換されていてもよい５ないし１０員芳香族複素環基、
(2) 式
【化２】
2014525420.tif 000002
（式中、
【化３】
2014525420.tif 000003
は単結合または二重結合を表し、
X1は、C(R5)またはNであり、
R4は、水素原子またはアルキルであり、
R5は、
(a) 水素原子、
(b) ハロゲン原子、
(c) シアノ、
(d) ニトロ、
(e) ヒドロキシ、
(f) １ないし３個のハロゲン原子で置換されていてもよいアルキル、
(g) アルケニルまたはアルキニル、
(h) アリール、または
(i) １ないし３個のハロゲン原子で置換されていてもよいアルコキシであり、
X1がC(R5)のとき、R4およびR5は結合して、オキソで置換されていてもよい５または６員環を形成してもよい）
で表される縮合複素環基（当該縮合複素環基は、ハロゲン原子、シアノ、ニトロ、ヒドロキシおよびアルキルからなる群から選ばれる１または２個の置換基で置換されていてもよい）、または
(3) 式
【化４】
2014525420.tif 000004
（式中、
X2は、C(R8)またはNであり、
R6、R7およびR8は、それぞれ独立して、
(a) 水素原子、
(b) ハロゲン原子、
(c) シアノ、
(d) ニトロ、
(e) アミノ、
(f) ハロゲン原子、アルコキシおよびアミノからなる群から選ばれる１ないし３個の置換基で置換されていてもよいアルキル、
(g) アルケニル、
(h) アルキニル、
(i) アリール、
(j) ホルミルまたはCH=N-OH、
(k) カルボキシ、
(l) カルバモイル、
(m) アルキルで置換されていてもよい５ないし１０員芳香族複素環基、または
(n) アルケニルオキシである）
で表される基である）で表される化合物またはその塩。
【請求項２】
R3が、式
【化５】
2014525420.tif 000005
（式中、R22は、
(a) ハロゲン原子、
(b) シアノ、
(c) ニトロ、
(d) ハロゲン原子、アルキルアミノ、ジアルキルアミノおよびヒドロキシからなる群から選ばれる１ないし３個の置換基で置換されていてもよいアルキル、
(e) アルケニルまたはアルキニル、
(f) アリール、
(g) シクロアルキル、
(h) アルコキシ、
(i) ホルミル、または
(j) ヒドロキシで置換されていてもよいアルキルで置換されていてもよいカルバモイルである）
で表される基である、請求項１に記載の化合物またはその塩。
【請求項３】
R3が、式
【化６】
2014525420.tif 000006
（式中、
【化７】
2014525420.tif 000007
、X1およびR4は、請求項１で定義したとおりである）
で表される縮合複素環基であり、当該縮合複素環基は、ハロゲン原子、シアノ、ニトロ、ヒドロキシおよびアルキルからなる群から選ばれる１または２個の置換基で置換されていてもよい、請求項１に記載の化合物またはその塩。
【請求項４】
R3が、式
【化８】
2014525420.tif 000008
（式中、X2、R6およびR7は、請求項１で定義したとおりである）
で表される基である、請求項１に記載の化合物またはその塩。
【請求項５】
Rが、水素原子である、請求項１〜４のいずれか１項に記載の化合物またはその塩。
【請求項６】
R1が、シクロプロピル、2-フルオロシクロプロピルまたは2,4-ジフルオロフェニルである、請求項１〜５のいずれか１項に記載の化合物またはその塩。
【請求項７】
R2が、メチル、メトキシまたは塩素原子である、請求項１〜６のいずれか１項に記載の化合物またはその塩。
【請求項８】
式
【化９】
2014525420.tif 000009
で表される化合物またはその塩。
【請求項９】
式
【化１０】
2014525420.tif 000010
で表される化合物またはその塩。
【請求項１０】
式
【化１１】
2014525420.tif 000011
で表される化合物またはその塩。
【請求項１１】
式
【化１２】
2014525420.tif 000012
で表される化合物またはその塩。
【請求項１２】
式
【化１３】
2014525420.tif 000013
で表される化合物またはその塩。
【請求項１３】
式
【化１４】
2014525420.tif 000014
で表される化合物またはその塩。
【請求項１４】
式
【化１５】
2014525420.tif 000015
で表される化合物またはその塩。
【請求項１５】
請求項１〜１４のいずれか１項に記載の化合物またはその塩および医薬的に許容される担体を含有する医薬組成物。
【請求項１６】
請求項１〜１４のいずれか１項に記載の化合物またはその塩を含有する抗菌剤。
【請求項１７】
請求項１〜１４のいずれか１項に記載の化合物またはその塩を含有する細菌感染症の予防または治療用医薬。
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
センス鎖およびアンチセンス鎖を含むＲＮＡｉ剤を含む組成物であって、該アンチセンス鎖は、表１において提供されるＨＳＦ１に対して特異的なＲＮＡｉ剤のアンチセンス鎖と０、１、２または３個のヌクレオチドにより異なっている少なくとも１５個の連続したヌクレオチドを含む、組成物。
【請求項２】
ＨＳＦ１に対する第２のＲＮＡｉ剤をさらに含む、請求項１に記載の組成物。
【請求項３】
ＲＮＡｉ剤が、少なくとも１つの修飾骨格および／または少なくとも１つの２’−修飾ヌクレオチドを含む、請求項１に記載の組成物。
【請求項４】
ＲＮＡｉ剤が、１つ以上の診断化合物、レポーター基、架橋剤、ヌクレアーゼ耐性付与部分、天然もしくは異常核酸塩基、親油性分子、コレステロール、脂質、レクチン、ステロイド、ウバオール（ｕｖａｏｌ）、ヘコゲニン、ジオスゲニン、テルペン、トリテルペン、サルササポゲニン、フリーデリン（Ｆｒｉｅｄｅｌｉｎ）、エピフリーデラノール誘導体化リトコール酸、ビタミン、炭水化物、デキストラン、プルラン、キチン、キトサン、合成炭水化物、オリゴラクテート（ｏｌｉｇｏ  ｌａｃｔａｔｅ）１５−マー（ｍｅｒ）、天然ポリマー、低もしくは中間分子量ポリマー、イヌリン、シクロデキストリン、ヒアルロン酸、タンパク質、タンパク質−結合剤、インテグリン標的分子、ポリカチオン、ペプチド、ポリアミン、ペプチド模倣物および／またはトランスフェリンから選択される１つ以上の薬剤に結合している、請求項１に記載の組成物。
【請求項５】
第１の鎖および第２の鎖を含むＲＮＡｉ剤を含む組成物であって、該第１の鎖および第２の鎖は、表Ａ１において提供されるＨＳＦ１に対して特異的なＲＮＡｉ剤の第１および第２の鎖のそれぞれと０、１、２または３個のヌクレオチドにより異なっている少なくとも１５個の連続したヌクレオチドを含む、組成物。
【請求項６】
ＨＳＦ１に対する第２のＲＮＡｉ剤を含む、請求項１に記載の組成物。
【請求項７】
ＲＮＡｉ剤がホスホロチオエートおよび／または２’−修飾ヌクレオチドを含む、請求項１に記載の組成物。
【請求項８】
ＲＮＡｉ剤が、１つ以上の薬剤に結合しており、該薬剤が、１つ以上の診断化合物、レポーター基、架橋剤、ヌクレアーゼ耐性付与部分、天然もしくは異常核酸塩基、親油性分子、コレステロール、脂質、レクチン、ステロイド、ウバオール、ヘコゲニン、ジオスゲニン、テルペン、トリテルペン、サルササポゲニン、フリーデリン、エピフリーデラノール誘導体化リトコール酸、ビタミン、炭水化物、デキストラン、プルラン、キチン、キトサン、合成炭水化物、オリゴラクテート  １５−マー、天然ポリマー、低もしくは中間分子量ポリマー、イヌリン、シクロデキストリン、ヒアルロン酸、タンパク質、タンパク質−結合剤、インテグリン標的分子、ポリカチオン、ペプチド、ポリアミン、ペプチド模倣物および／またはトランスフェリンから選択される、請求項１に記載の組成物。
【請求項９】
個体におけるＨＳＦ１−関連疾患を処置するための、センス鎖およびアンチセンス鎖を含む治療有効量のＲＮＡｉ剤を含む医薬組成物であって、
該アンチセンス鎖は、表１において提供されるＨＳＦ１に対して特異的なＲＮＡｉ剤のアンチセンス鎖と０、１、２または３個のヌクレオチドにより異なっている少なくとも１５個の連続したヌクレオチドを含み、
該組成物の治療上有効量は該個体に投与される、医薬組成物。
【請求項１０】
ＨＳＦ１−関連疾患が、がん、自己免疫またはウイルス性疾患である、請求項９に医薬組成物。
【請求項１１】
がん、自己免疫またはウイルス性疾患に対するさらなる処置を施す工程をさらに含む、請求項９に記載の医薬組成物。
【請求項１２】
ＨＳＦ１に対するさらなるＲＮＡｉ剤がさらに投与される、請求項１１に記載の医薬組成物。
【請求項１３】
個体におけるＨＳＦ１遺伝子の発現を阻害するための、センス鎖およびアンチセンス鎖を含む治療有効量のＲＮＡｉ剤を含む組成物であって、
該アンチセンス鎖は、表Ａ１において提供されるＨＳＦ１に対して特異的なＲＮＡｉ剤のアンチセンス鎖と０、１、２または３個のヌクレオチドにより異なっている少なくとも１５個の連続したヌクレオチドを含み、
該組成物の治療上有効量は該個体に投与される、医薬組成物。
【請求項１４】
ＨＳＦ１−関連疾患が、がん、自己免疫またはウイルス性疾患である、請求項１３に記載の医薬組成物。
【請求項１５】
薬学的に有効な製剤中の請求項９〜１４のいずれか１項に記載の医薬組成物。
【請求項１６】
個体におけるＨＳＦ１−関連疾患を処置するための請求項１に記載の組成物であって、治療有効量の請求項１に記載の組成物は該個体に投与される、組成物。
【請求項１７】
ＨＳＦ１−関連疾患の処置のための医薬の製造における請求項１に記載の組成物の使用。
【請求項１８】
全てのピリミジンが、２’Ｏ−メチル−修飾ヌクレオチドである、請求項１に記載の組成物。
【請求項１９】
全てのピリミジンが、２’Ｏ−メチル−修飾ヌクレオチドである、請求項５に記載の組成物。
【請求項２０】
ＨＳＰ９０阻害剤の投与がさらなる処置として使用される、請求項１１に記載の医薬組成物。
【請求項２１】
ＨＳＰ９０阻害剤が、ＡＵＹ９２２である、請求項２０に記載の医薬組成物。
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2014525442.tif 000001
（式中、
Ｒ１およびＲ２はそれぞれ独立して、任意に置換されたアリール、任意に置換されたナフチル、任意に置換されたヘテロアリール、任意に置換されたアルキル、任意に置換されたアラルキル、任意に置換されたシクロアルキル、任意に置換されたヘテロシクロアルキルまたは任意に置換されたヘテロアリールアルキルであり、
Ｒ３は、Ｈ、ＯＨ、アルコキシ、アミノ、アルキルアミノまたはジアルキルアミノであり、
Ｒ４は、Ｈまたはハロである）。
【請求項２】
Ｒ３はＯＨである、請求項１に記載の化合物。
【請求項３】
Ｒ２は任意に置換されたアルキルであり、Ｒ３はＯＨである、請求項１に記載の化合物。
【請求項４】
Ｒ１は任意に置換されたアリールであり、Ｒ２はアルキルであり、Ｒ３はＯＨである、請求項１に記載の化合物。
【請求項５】
Ｒ１は任意に置換されたヘテロアリールであり、Ｒ２はアルキルであり、Ｒ３はＯＨである、請求項１に記載の化合物。
【請求項６】
Ｒ１は置換アリールであり、Ｒ２はアルキルであり、Ｒ３はＯＨである、請求項１に記載の化合物。
【請求項７】
Ｒ１は任意に置換されたナフチルであり、Ｒ２はアルキルであり、Ｒ３はＯＨである、請求項１に記載の化合物。
【請求項８】
Ｒ１は置換ナフチルであり、Ｒ２はアルキルであり、Ｒ３はＯＨである、請求項７に記載の化合物。
【請求項９】
Ｒ１は、アルキル、アルコキシ、ハロアルコキシ、シアノ、ハロ、アミノ、モノアルキルアミノ、ジアルキルアミノまたはヘテロアリールから独立して選択される１、２、３または４つの置換基で置換されたナフチルである、請求項８に記載の化合物。
【請求項１０】
式（ＩＩ）の構造：
【化２】
2014525442.tif 000002
（式中、Ｒ５およびＲ６は独立して、Ｈ、ハロゲン、アルコキシ、１〜５個のフッ素を含むフルオロアルコキシ、シアノ、カルボキサミド、任意に置換されたアリールまたは任意に置換されたヘテロアリールである）を有する、請求項１に記載の化合物。
【請求項１１】
Ｒ４はＨである、請求項１に記載の式（Ｉ）の化合物。
【請求項１２】
Ｒ４はクロロである、請求項１に記載の式（Ｉ）の化合物。
【請求項１３】
１−（２−クロロ−チアゾール−５−イル）−１−（６，７−ジメトキシナフタレン−２−イル）−２−メチルプロパン−１−オール（１）、または
１−（６，７−ジメトキシナフタレン−２−イル）−２−メチル−１−（チアゾール−５−イル）プロパン−１−オール（２）
である、請求項１に記載の化合物。
【請求項１４】
請求項１〜１３のいずれか１項に記載の化合物を金属酵素に接触させることを含む、金属酵素活性の阻害方法。
【請求項１５】
金属酵素に関連する障害もしくは疾患に罹患しているか罹患しやすい対象の治療において使用するための請求項１に記載の化合物。
【請求項１６】
前記疾患もしくは障害は、４−ヒドロキシフェニルピルビン酸ジオキシゲナーゼ、５−リポキシゲナーゼ、アデノシンデアミナーゼ、アルコール脱水素酵素、アミノペプチダーゼＮ、アンギオテンシン変換酵素、アロマターゼ（ＣＹＰ１９）、カルシニューリン、カルバモイルリン酸合成酵素、炭酸脱水酵素ファミリー、カテコール−Ｏ−メチル転移酵素、シクロオキシゲナーゼファミリー、ジヒドロピリミジン脱水素酵素−１、ＤＮＡポリメラーゼ、ファルネシル二リン酸合成酵素、ファルネシル転移酵素、フマル酸還元酵素、ＧＡＢＡアミノ基転移酵素、ＨＩＦ−プロリルヒドロキシラーゼ、ヒストン脱アセチル化酵素ファミリー、ＨＩＶインテグラーゼ、ＨＩＶ−１逆転写酵素、イソロイシンｔＲＮＡリガーゼ、ラノステロールデメチラーゼ（ＣＹＰ５１）、マトリックスメタロプロテアーゼファミリー、メチオニンアミノペプチダーゼ、中性エンドペプチダーゼ、一酸化窒素合成酵素ファミリー、ホスホジエステラーゼＩＩＩ、ホスホジエステラーゼＩＶ、ホスホジエステラーゼＶ、ピルビン酸フェレドキシン酸化還元酵素、腎臓ペプチダーゼ、リボヌクレオシド二リン酸還元酵素、トロンボキサン合成酵素（ＣＹＰ５ａ）、甲状腺ペルオキシダーゼ、チロシナーゼ、ウレアーゼまたはキサンチン酸化酵素のいずれかによって媒介される、請求項１５に記載の化合物。
【請求項１７】
前記疾患もしくは障害は、１−デオキシ−ｄ−キシルロース−５−リン酸レダクトイソメラーゼ（ＤＸＲ）、１７−αヒドロキシラーゼ（ＣＹＰ１７）、アルドステロン合成酵素（ＣＹＰ１１Ｂ２）、アミノペプチダーゼＰ、炭疽菌致死因子、アルギナーゼ、β−ラクタマーゼ、チトクロームP450 2A6、Ｄ−Ａｌａ−Ｄ−Ａｌａリガーゼ、ドーパミン−β−ヒドロキシラーゼ、エンドセリン変換酵素−１、グルタミン酸カルボキシペプチダーゼＩＩ、グルタミニルシクラーゼ、グリオキサラーゼ、ヘムオキシゲナーゼ、HPV/HSV E1ヘリカーゼ、インドールアミン２，３−ジオキシゲナーゼ、ロイコトリエンＡ４加水分解酵素、メチオニンアミノペプチダーゼ２、ペプチド脱ホルミル酵素、ホスホジエステラーゼＶＩＩ、レラキサーゼ、レチノイン酸ヒドロキシラーゼ（ＣＹＰ２６）、ＴＮＦ−α変換酵素（ＴＡＣＥ）、ＵＤＰ−（３−Ｏ−（Ｒ−３−ヒドロキシミリストイル））−Ｎ−アセチルグルコサミン脱アセチル化酵素（ＬｐｘＣ）、血管接着タンパク質−１（ＶＡＰ−１）またはビタミンＤヒドロキシラーゼ（ＣＹＰ２４）のいずれかによって媒介される、請求項１５に記載の化合物。
【請求項１８】
前記疾患もしくは障害は、癌、心血管疾患、炎症性疾患、感染症、代謝性疾患、眼科疾患、中枢神経系（ＣＮＳ）疾患、泌尿器疾患または胃腸疾患である、請求項１５に記載の化合物。
【請求項１９】
前記疾患もしくは障害は、前立腺癌、乳癌、子宮内膜症、子宮筋腫、炎症性腸疾患、乾癬、全身性真菌感染症、爪真菌症、心血管疾患、前立腺肥大、精巣癌、男性化症、多毛症、男性型脱毛症、思春期早発症、子宮癌、卵巣癌、乳腺症、子宮類線維症、子宮腺筋症または多嚢胞性卵巣症候群である、請求項１５に記載の化合物。
【請求項２０】
請求項１〜１３のいずれかに記載の化合物を植物に接触させることを含む、植物の中または表面における真菌増殖の治療または予防方法。
【請求項２１】
請求項１に記載の化合物と薬学的に許容される担体とを含む組成物。
【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
目的の免疫原をコードするＲＮＡが被包されているリポソームであって、ここで該リポソームは、ポリエチレングリコールが該リポソームの外側に存在するようにポリエチレングリコール部分を含む少なくとも１種の脂質を含み、該ポリエチレングリコールの平均分子量は、３ｋＤａより高いが１１ｋＤａ未満である、リポソーム。
【請求項２】
ＰＥＧ−ＤＭＧおよび／もしくは式（Ｘ）の脂質を含む、請求項１に記載のリポソーム。
【請求項３】
前記リポソームは、８０〜１６０ｎｍの範囲の直径を有する、請求項１〜２のいずれかに記載のリポソーム。
【請求項４】
前記リポソームは、カチオン性ヘッド基を有する脂質を含む、請求項１〜３のいずれかに記載のリポソーム。
【請求項５】
前記リポソームは、両性イオン性ヘッド基を有する脂質を含む、請求項１〜４のいずれかに記載のリポソーム。
【請求項６】
前記ＲＮＡは、自己複製ＲＮＡである、請求項１〜５のいずれかに記載のリポソーム。
【請求項７】
前記自己複製ＲＮＡ分子は、（ｉ）該自己複製ＲＮＡ分子からＲＮＡを転写し得るＲＮＡ依存性ＲＮＡポリメラーゼ、および（ｉｉ）免疫原をコードする、請求項６に記載のリポソーム。
【請求項８】
前記ＲＮＡ分子は、２つのオープンリーディングフレームを有し、該オープンリーディングフレームのうちの第１のものは、アルファウイルスレプリカーゼをコードし、該オープンリーディングフレームのうちの第２のものは、前記免疫原をコードする、請求項７に記載のリポソーム。
【請求項９】
前記ＲＮＡ分子は、９０００〜１２０００ヌクレオチド長である、請求項１〜８のいずれかに記載のリポソーム。
【請求項１０】
前記免疫原は、細菌、ウイルス、真菌もしくは寄生生物に対してインビボで免疫応答を誘発し得る、請求項１〜９のいずれかに記載のリポソーム。
【請求項１１】
請求項１〜１０のいずれかに記載のリポソームを含む、薬学的組成物。
【請求項１２】
脊椎動物において防御免疫応答を惹起するための、有効量の請求項１〜１０に記載のリポソームを含む組成物または請求項１１に記載の薬学的組成物。
【手続補正２】
【補正対象書類名】明細書
【補正対象項目名】０２０５
【補正方法】変更
【補正の内容】
【０２０５】
ＰＫＲは、二本鎖ＲＮＡ依存性プロテインキナーゼである。これは、先天的免疫系において重要な役割を果たす。「ＥＩＦ２ＡＫ２」（真核生物翻訳開始因子２−αキナーゼ２（ｅｕｋａｒｙｏｔｉｃ  ｔｒａｎｓｌａｔｉｏｎ  ｉｎｉｔｉａｔｉｏｎ  ｆａｃｔｏｒ  ２−ａｌｐｈａ  ｋｉｎａｓｅ  ２）について）は、この酵素をコードする遺伝子の承認されたＨＧＮＣ名であり、その特有のＨＧＮＣ  ＩＤは、ＨＧＮＣ：９４３７である。ヒトＰＫＲ遺伝子のＲｅｆＳｅｑ配列は、ＧＩ：２０８４３１８２５である。
例えば、本発明は、以下の項目を提供する：
（項目１）
目的の免疫原をコードするＲＮＡが被包されているリポソームであって、ここで該リポソームは、ポリエチレングリコールが該リポソームの外側に存在するようにポリエチレングリコール部分を含む少なくとも１種の脂質を含み、該ポリエチレングリコールの平均分子量は、３ｋＤａより高いが１１ｋＤａ未満である、リポソーム。
（項目２）
ＰＥＧ−ＤＭＧおよび／もしくは式（Ｘ）の脂質を含む、項目１に記載のリポソーム。
（項目３）
上記リポソームは、８０〜１６０ｎｍの範囲の直径を有する、上述の項目のいずれかに記載のリポソーム。
（項目４）
上記リポソームは、カチオン性ヘッド基を有する脂質を含む、上述の項目のいずれかに記載のリポソーム。
（項目５）
上記リポソームは、両性イオン性ヘッド基を有する脂質を含む、上述の項目のいずれかに記載のリポソーム。
（項目６）
上記ＲＮＡは、自己複製ＲＮＡである、上述の項目のいずれかに記載のリポソーム。
（項目７）
上記自己複製ＲＮＡ分子は、（ｉ）該自己複製ＲＮＡ分子からＲＮＡを転写し得るＲＮＡ依存性ＲＮＡポリメラーゼ、および（ｉｉ）免疫原をコードする、項目６に記載のリポソーム。
（項目８）
上記ＲＮＡ分子は、２つのオープンリーディングフレームを有し、該オープンリーディングフレームのうちの第１のものは、アルファウイルスレプリカーゼをコードし、該オープンリーディングフレームのうちの第２のものは、上記免疫原をコードする、項目７に記載のリポソーム。
（項目９）
上記ＲＮＡ分子は、９０００〜１２０００ヌクレオチド長である、上述の項目のいずれかに記載のリポソーム。
（項目１０）
上記免疫原は、細菌、ウイルス、真菌もしくは寄生生物に対してインビボで免疫応答を誘発し得る、上述の項目のいずれかに記載のリポソーム。
（項目１１）
上述の項目のいずれかに記載のリポソームを含む、薬学的組成物。
（項目１２）
脊椎動物において防御免疫応答を惹起するための方法であって、該方法は、該脊椎動物に、有効量の、項目１〜１０に記載のリポソームまたは項目１１に記載の薬学的組成物を投与する工程を包含する、方法。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
結晶性形態の４−（３−メタンスルホニル−フェニル）−１−プロピル−ピペリジン塩酸塩であって、前記結晶性形態が、面間隔ｄ値６．１および４．９または面間隔ｄ値８．９および４．１に対応する反射を有するＸ線粉末回折パターンにより特徴づけられる結晶（形態ＩＩ）である、４−（３−メタンスルホニル−フェニル）−１−プロピル−ピペリジン塩酸塩。
【請求項２】
前記結晶性形態が無水である、請求項１に記載の４−（３−メタンスルホニル−フェニル）−１−プロピル−ピペリジン塩酸塩。
【請求項３】
面間隔ｄ値６．１および４．９、並びに８．９および４．１に対応する反射を有するＸ線粉末回折パターンにより特徴づけられる、請求項１または２に記載の４−（３−メタンスルホニル−フェニル）−１−プロピル−ピペリジン塩酸塩。
【請求項４】
治療有効量の請求項１〜３の何れか１項に記載の４−（３−メタンスルホニル−フェニル）−１−プロピル−ピペリジン塩酸塩を、１種以上のアジュバント、賦形剤、担体、および／または希釈剤と一緒に含む医薬組成物。
【請求項５】
４−（３−メタンスルホニル−フェニル）−１−プロピル−ピペリジンの治療有効量が、１ｍｇ〜５００ｍｇである、請求項４に記載の医薬組成物。
【請求項６】
４−（３−メタンスルホニル−フェニル）−１−プロピル−ピペリジンの治療有効量が、１０ｍｇ〜１００ｍｇである、請求項４に記載の医薬組成物。
【請求項７】
４−（３−メタンスルホニル−フェニル）−１−プロピル−ピペリジンの治療有効量が、２５ｍｇ〜５０ｍｇである、請求項４に記載の医薬組成物。
【請求項８】
医薬の製造のための、請求項１〜３の何れか１項に記載の４−（３−メタンスルホニル−フェニル）−１−プロピル−ピペリジン塩酸塩を含む医薬組成物の使用。
【請求項９】
ドーパミン媒介性障害の、症状の軽減、治療、または予防で使用するための、請求項１〜３の何れか１項に記載の４−（３−メタンスルホニル−フェニル）−１−プロピル−ピペリジン塩酸塩を含む医薬組成物。
【請求項１０】
ハンチントン病の、症状の軽減、または治療で使用するための、請求項１〜３の何れか１項に記載の４−（３−メタンスルホニル−フェニル）−１−プロピル−ピペリジン塩酸塩を含む医薬組成物。
【手続補正２】
【補正対象書類名】明細書
【補正対象項目名】００６９
【補正方法】変更
【補正の内容】
【００６９】
この手順に従って、表３に示した面間隔ｄおよび図７に示したディフラクトグラムを得た。
【手続補正３】
【補正対象書類名】明細書
【補正対象項目名】００７１
【補正方法】変更
【補正の内容】
【００７１】
この手順に従って、図８に示したＤＳＣサーモグラムを得た。
【手続補正４】
【補正対象書類名】明細書
【補正対象項目名】００７３
【補正方法】変更
【補正の内容】
【００７３】
この手順に従って、図１０に示したＴＧＡサーモグラムを得た。
【手続補正５】
【補正対象書類名】明細書
【補正対象項目名】００７５
【補正方法】変更
【補正の内容】
【００７５】
この手順に従って、図９に示した結晶性プリドピジン塩酸塩の形態ＩＩのＦＴ−ＩＲスペクトルを得た。
【手続補正６】
【補正対象書類名】明細書
【補正対象項目名】００８０
【補正方法】変更
【補正の内容】
【００８０】
この手順に従って、図１１に示したＤＶＳプロファイルを得た。
【手続補正７】
【補正対象書類名】明細書
【補正対象項目名】００８４
【補正方法】変更
【補正の内容】
【００８４】
バルク密度およびタップ密度
密度の決定をＰｈ．Ｅｕｒ．２．９．３４に記載されているように行った。２５０ｍｌ容量のガラス製シリンダに入れる試料量を５０．０ｇとし、かつ２５００回のタッピングを１００タップ／分で実行するように方法を変更した。測定をトリプリケートで行った。
以下に、出願当初の特許請求の範囲に記載された発明を付記する。
［１］  結晶性形態（形態ＩＩ）の４−（３−メタンスルホニル−フェニル）−１−プロピル−ピペリジン塩酸塩またはその溶媒和物。
［２］  前記結晶性形態が無水である、［１］に記載の４−（３−メタンスルホニル−フェニル）−１−プロピル−ピペリジン塩酸塩。
［３］  面間隔ｄ値６．１および４．９に対応する反射を有するＸ線粉末回折パターンにより特徴づけられる、［１］に記載の４−（３−メタンスルホニル−フェニル）−１−プロピル−ピペリジン塩酸塩。
［４］  面間隔ｄ値８．９および４．１に対応する反射を有するＸ線粉末回折パターンにより特徴づけられる、［１］に記載の４−（３−メタンスルホニル−フェニル）−１−プロピル−ピペリジン塩酸塩。
［５］  面間隔ｄ値８．９、７．７、６．７、６．１、５．１、４．９、４．３、４．１、３．６に対応する反射を有するＸ線粉末回折パターンにより特徴づけられる、［１］に記載の４−（３−メタンスルホニル−フェニル）−１−プロピル−ピペリジン塩酸塩。
［６］  図８に示すのと実質的に同じＸ線粉末回折パターンにより特徴づけられる、［１］に記載の４−（３−メタンスルホニル−フェニル）−１−プロピル−ピペリジン塩酸塩。
［７］  約２１０℃で開始する吸熱を有する、図９に実質的に示す通りのＤＳＣサーモグラムにより特徴づけられる、［１］に記載の４−（３−メタンスルホニル−フェニル）−１−プロピル−ピペリジン塩酸塩。
［８］  図１０に実質的に示す通りのＦＴ−ＩＲスペクトルにより特徴づけられる、［１］に記載の４−（３−メタンスルホニル−フェニル）−１−プロピル−ピペリジン塩酸塩。
［９］  図１１に実質的に示す通りのＴＧＡサーモグラムにより特徴づけられる、［１］に記載の４−（３−メタンスルホニル−フェニル）−１−プロピル−ピペリジン塩酸塩。
［１０］  治療有効量の［１］〜［９］の何れか１に記載の４−（３−メタンスルホニル−フェニル）−１−プロピル−ピペリジン塩酸塩を、１種以上のアジュバント、賦形剤、担体、および／または希釈剤と一緒に含む医薬組成物。
［１１］  医薬として使用するための、［１］〜［９］の何れか１に記載の４−（３−メタンスルホニル−フェニル）−１−プロピル−ピペリジン塩酸塩。
［１２］  医薬組成物／医薬の製造のための、［１］〜［９］の何れか１に記載の４−（３−メタンスルホニル−フェニル）−１−プロピル−ピペリジン塩酸塩の使用。
［１３］  ヒトを含めた動物生体のドーパミン媒介障害を治療、予防、または軽減するための方法であって、治療有効量の［１］〜［９］の何れか１に記載の４−（３−メタンスルホニル−フェニル）−１−プロピル−ピペリジン塩酸塩を、それを必要とする動物生体に投与する工程を含む方法。
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
対象において骨芽細胞機能を増加させるための医薬組成物であって、幹細胞の集団および／またはその子孫および／またはそれに由来する可溶性因子を有効成分として含有し、対象に全身投与される組成物。
【請求項２】
該幹細胞が多能性（multipotential）細胞である請求項１に記載の組成物。
【請求項３】
該多能性細胞がＳＴＲＯ−１＋細胞である請求項２に記載の組成物。
【請求項４】
該多能性細胞がＳＴＲＯ−１ブライト細胞である請求項２に記載の組成物。
【請求項５】
該対象において骨芽細胞によるオステオカルシンの生産を刺激する請求項１〜４のいずれか一項に記載の組成物。
【請求項６】
該対象が低い骨芽細胞のレベルまたは活性に関連する障害を患っている請求項１〜５のいずれか一項に記載の組成物。
【請求項７】
該障害が代謝性骨障害または男性不妊である請求項６に記載の組成物。
【請求項８】
該代謝性骨障害が、骨軟化症、骨粗鬆症、骨化石病、パジェット病およびＸ染色体性低リン酸塩血症性くる病、腎不全−関連骨形成異常症、大理石骨病、嚢胞性線維性骨炎およびグルココルチコイド−誘導骨喪失よりなる群から選択される請求項７に記載の組成物。
【請求項９】
該対象が骨粗鬆症を患っており、該対象において骨折の危険性を予防しまたは低下させる請求項６に記載の組成物。
【請求項１０】
該対象が骨折を患っている請求項１〜８のいずれか一項に記載の組成物。
【請求項１１】
該対象において骨折の治癒を加速し、および／または遷延治癒骨折を予防し、および／または骨折の癒着不能を予防する請求項１０に記載の方法。
【請求項１２】
該対象において血漿中オステオカルシンレベルの増大をもたらす請求項１〜１１のいずれか一項に記載の組成物。
【請求項１３】
投与後２週間以内に血漿中オステオカルシンレベルの少なくとも５倍の増加をもたらす請求項１２に記載の組成物。
【請求項１４】
投与後２週間以内に血漿中オステオカルシンレベルの少なくとも１０倍の増加をもたらす請求項１２に記載の組成物。
【請求項１５】
投与後２週間以内に血漿中オステオカルシンレベルの少なくとも２０倍の増加をもたらす請求項１２に記載の組成物。
【請求項１６】
該対象において血漿中アルカリホスファターゼレベルの増加をもたらす請求項１〜１５のいずれか一項に記載の組成物。
【請求項１７】
投与前の血漿中アルカリホスファターゼのレベルと比較して、投与後６週間以内に血漿中アルカリホスファターゼレベルの少なくとも５パーセントの増加をもたらす請求項１６に記載の組成物。
【請求項１８】
投与前の血漿中アルカリホスファターゼのレベルと比較して、投与後６週間以内に血漿中アルカリホスファターゼレベルの少なくとも１０パーセントの増加をもたらす請求項１６に記載の組成物。
【請求項１９】
該対象に複数回投与される請求項１〜１８のいずれか一項に記載の組成物。
【請求項２０】
１２週間またはそれ以上毎に１回投与される請求項１９に記載の組成物。
【請求項２１】
ｋｇ当たり、０．１×１０６〜５×１０６の間の用量でＳＴＲＯ−１＋多能性細胞および／またはその子孫が投与される請求項１〜２０のいずれか一項に記載の組成物。
【請求項２２】
ｋｇ当たり、０．３×１０６〜２×１０６の間の用量で多能性ＳＴＲＯ−１＋細胞および／またはその子孫が投与される請求項１〜２１のいずれか一項に記載の組成物。
【請求項２３】
低い用量で多能性ＳＴＲＯ−１＋細胞および／またはその子孫が投与される請求項１〜２２のいずれか一項に記載の組成物。
【請求項２４】
該低い用量のＳＴＲＯ−１＋細胞および／またはその子孫が、ｋｇ当たり、０．１×１０５および０．５×１０６の間のＳＴＲＯ−１＋細胞および／またはその子孫である請求項２３に記載の組成物。
【請求項２５】
該低い用量のＳＴＲＯ−１＋細胞および／またはその子孫が、ｋｇ当たり、約０．３×１０６のＳＴＲＯ−１＋細胞および／またはその子孫である請求項２３に記載の組成物。
【請求項２６】
幹細胞の該集団および／または子孫細胞が自己または同種異系であり、および／または該可溶性因子が自己または同種異系細胞に由来し得る請求項１〜２５のいずれか一項に記載の組成物。
【請求項２７】
多能性細胞の該集団および／または子孫細胞が、投与前および／または該可溶性因子を得る前に培養拡大されたものである請求項１〜２６のいずれか一項に記載の組成物。
【請求項２８】
多能性細胞の該集団が、ＳＴＲＯ−１ブライトである、および／または組織非特異的アルカリホスファターゼ（ＴＮＡＰ）を発現する、および／または該子孫細胞および／または該可溶性因子が、ＳＴＲＯ−１ブライトである、および／またはＴＮＡＰを発現するＳＴＲＯ−１＋細胞に由来する、請求項１〜２７のいずれか一項に記載の組成物。
【請求項２９】
静脈内投与される請求項１〜２８のいずれか一項に記載の組成物。
【請求項３０】
担体および／または賦形剤を含む請求項１〜２９のいずれか一項に記載の組成物。
【手続補正２】
【補正対象書類名】明細書
【補正対象項目名】００７７
【補正方法】変更
【補正の内容】
【００７７】
本明細書中で用いるように、用語「多能性細胞」または「分化多能性細胞」（pluripotent cellまたはpluripotential cell）とは、完全な分化多能、すなわち、哺乳動物の身体のほぼ２６０の細胞型のいずれかに成長する能力を有する細胞をいう。多能性（pluripotent）細胞は自己−再生性であり得、かつ組織内で休眠状態であるか、または休止状態であり得る。
【手続補正３】
【補正対象書類名】明細書
【補正対象項目名】００７８
【補正方法】変更
【補正の内容】
【００７８】
「多能性細胞」または「多分化能細胞」（multipotential cellまたはmultipotent cell）とは、我々は、数個の成熟した細胞型のいずれかを生起させることができる細胞を意味する。本明細書中で用いるように、このフレーズは成体または胚性幹細胞、および間葉前駆細胞（ＭＰＣ）およびこれらの細胞の多能子孫のような先祖細胞を含む。多能性（pluripotent）細胞とは異なり、多分化能（multipotent）細胞は細胞型全てを形成する能力を有しない。
【手続補正４】
【補正対象書類名】明細書
【補正対象項目名】００８０
【補正方法】変更
【補正の内容】
【００８０】
本明細書中で用いるように、フレーズ「ＳＴＲＯ−１＋多能性細胞」（STRO-1+ multipotential cell）は、多能性（multipotential）細胞コロニーを形成することができるＳＴＲＯ−１＋および／またはＴＮＡＰ＋先祖細胞を意味すると把握されるべきである。
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
実質的に図１に従うＸ線粉末回折パターンを特徴とする、結晶リラプラディブ。
【請求項２】
少なくとも約６．２、７．６、９．１、１１．２および１４．３度の位置に回折角（２シータ）を含んでなるＸ線粉末回折パターンを特徴とする、結晶リラプラディブ。
【請求項３】
少なくとも約６．２、７．６、９．１、１１．２、１１．７、１２．４、１３．１、１４．０、１４．３、１４．９、１５．３、１６．５、１６．８、１７．５、１７．８、１８．５、１８．９、１９．３、２０．０、２０．６、２１．１および２２．１度の位置に回折角（２シータ）を含んでなるＸ線粉末回折パターンを特徴とする、結晶リラプラディブ。
【請求項４】
実質的に図２に従うラマンスペクトルを特徴とする、結晶リラプラディブ。
【請求項５】
少なくとも約１０３、２７６、７５２、１１５５、１３３６、１６２３および３０７５ｃｍ−１の位置にピークを含んでなるラマンスペクトルを特徴とする、結晶リラプラディブ。
【請求項６】
少なくとも約１０３、１５９、１８６、２７６、５１９、５２４、６１３、６２８、６９４、７３６、７５２、７６６、７７６、８０８、８２０、１０３８、１１５５、１１７９、１２８８、１３３６、１４６７、１５２８、１５７６、１６１１、１６２３、２９３３、２９５２および３０７５ｃｍ−１（例えば、約１０３、８０８、１１５５、１１７９、１２８８、１３３６、１４６７、１５２８、１５７６、１６１１、１６２３、２９５２および３０７５ｃｍ−１）の位置にピークを含んでなるラマンスペクトルを特徴とする、結晶リラプラディブ。
【請求項７】
約１６５℃〜約１８５℃の融点を特徴とする、結晶リラプラディブ。
【請求項８】
実質的に図７に従うＡＴＲ‐ＩＲ吸収スペクトルを特徴とする、結晶リラプラディブ。
【請求項９】
少なくとも波数約２９３１、１６５２、１６２１、１５９５、１５２８、１４９４、１４７８、１４２３、１４０３、１３２７、１３１７、１２８６、１２３７、１２０４、１１８７、１１６６、１１４０、１１０９、１０６６、１０２４、９９２、９６９、９３２、８６５、８５９、８１３、７９５、７６７、７５１、７０８および６９３にピークを含んでなるＡＴＲ‐ＩＲ吸収スペクトルを特徴とする、結晶リラプラディブ。
【請求項１０】
請求項１〜３のいずれか一項に記載のＸＲＰＤパターン、請求項４〜６のいずれか一項に記載のラマンスペクトル、請求項７に記載の融点、および請求項８または９に記載のＡＴＲ‐ＩＲ吸収スペクトルから選択される、少なくとも２つの特性を特徴とする、結晶リラプラディブ。
【請求項１１】
前記結晶リラプラディブが無水である、請求項１〜１０のいずれか一項に記載の結晶リラプラディブ。
【請求項１２】
請求項１〜１１のいずれか一項に記載の結晶リラプラディブを含んでなる、医薬組成物。
【請求項１３】
薬学的に許容可能なキャリアをさらに含んでなる、請求項１２に記載の医薬組成物。
【請求項１４】
Ｌｐ‐ＰＬＡ２媒介疾患または障害を治療するための、請求項１２または１３に記載の医薬組成物。
【請求項１５】
前記疾患または障害がアルツハイマー病である、請求項１４に記載の医薬組成物。
【請求項１６】
併用療法においてアルツハイマー病の治療のための１つ以上の追加の薬剤（例えば、アセチルコリンステアラーゼ阻害剤、ＮＭＤＡ受容体アンタゴニストおよびこれらの組み合わせから選択される剤、例えば、タクリン、ドネペジル、リバスチグミン、ガランタミンおよびメマンチン）と共に投与される、請求項１５に記載の医薬組成物。
【誤訳訂正書】
【提出日】平成27年3月2日(2015.3.2)
【誤訳訂正１】
【訂正対象書類名】明細書
【訂正対象項目名】００２０
【訂正方法】変更
【訂正の内容】
【００２０】
ヒドロキシメチルトリアルコキシシランの加水分解によるポリ(ヒドロキシメチル)−官能性シリカゲルの製造は、
−日本国特許第63048364号、表面コーティングのためのさらなるシランとの共加水分解、
−独国特許第4407437号、ゾル−ゲル加水分解による薄層の製造、
−米国特許第6310110号、テンプレート基を有する界面活性物質の存在下で、エマルション加水分解し、マイクロ又はナノ構造を有する多孔質粒子の製造、
−米国特許出願公開第20070269662号、ゾル−ゲル加水分解による薄いメンブランの製造、
−米国特許出願公開第20080268162号、所望により界面活性物質の存在下で、加水分解による表面コーティングの製造、
−J. Coll. Interface Sc. 340 (2009) 202-208、界面活性物質の存在下で、さらなるシランとのゾル−ゲル加水分解による、コーン−シエル構造を有する粒子の製造、
−独国特許第10044635号、共加水分解による活性成分のカプセル封入に記載されている。
【誤訳訂正２】
【訂正対象書類名】明細書
【訂正対象項目名】００６８
【訂正方法】変更
【訂正の内容】
【００６８】
本発明の方法は、一種以上の界面活性物質の存在下で行うことができる。これらの物質は、特にポリ(ヒドロキシメチル)-官能性シリカゲルの製造における、超分子構造、例えばミセル、を形成することにより、構造を与える効果を有する。特に、粒子又は細孔の形態に、例えばテンプレート効果により影響を及ぼすことができる。陰イオン性及び陽イオン性又は非イオン性界面活性物質を使用できる。陰イオン界面活性物質の例は、アルキルスルホネート、例えばナトリウムビス-2-エチルヘキシルスルホスクシネート(AOT)、アルキルサルフェートエステルの塩、例えばナトリウムドデシルサルフェート又はアルキルベンゼンスルホネート、である。非イオン性界面活性物質の例は、ポリエチレングリコールモノエーテル又はポリエーテルの脂肪酸エステル、ポリアルコール及び糖である。陽イオン性界面活性物質の例は、第四級アンモニウム塩、例えばヘキサデシルトリメチルアンモニウムブロマイド又はジメチルジオクタデシルアンモニウムクロライドである。
【誤訳訂正３】
【訂正対象書類名】特許請求の範囲
【訂正対象項目名】全文
【訂正方法】変更
【訂正の内容】
【特許請求の範囲】
【請求項１】
一般式Ｉ
【化１】
2014525478.tif 000001
のポリ(ヒドロキシメチル)−官能性シロキサンを製造する方法であって、
一般式ＩＩ
【化２】
2014525478.tif 000002
の少なくとも一単位を有する環状化合物を水と反応させることを含み、その際、所望により一種以上の一般式ＩＩＩ
【化３】
2014525478.tif 000003
のさらなる加水分解可能な化合物が存在してもよい
（式中、Ｒ１が、水素原子又は環状もしくは非環式の、直鎖状又は分岐鎖状の、芳香族又は脂肪族もしくはオレフィン系の、飽和又は不飽和の、Ｃ１〜Ｃ２０炭化水素基又はＣ１〜Ｃ２０炭化水素オキシ基もしくはＣ４〜Ｃ４０ポリエーテル基であり、それぞれ所望によりＱ１により置換され、所望により一個以上の基Ｑ２により中断されているか、又は一個以上の基Ｑ２を含み、
Ｒ２が、ヒドロキシ基又は環状もしくは非環式の、直鎖状又は分岐鎖状の、芳香族又は脂肪族もしくはオレフィン系の、飽和又は不飽和の、Ｃ１〜Ｃ２０炭化水素基又はＣ１〜Ｃ２０炭化水素オキシ基もしくはＣ４〜Ｃ４０ポリエーテル基又はＳｉ１〜Ｓｉ２０シロキサンオキシ基であり、それぞれ所望により基Ｑ１により置換され、所望により一個以上の基Ｑ２により中断されているか、又は一個以上の基Ｑ２を含み、
Ｒ３が、水素又は環状もしくは非環式の、直鎖状又は分岐鎖状の、芳香族又は脂肪族もしくはオレフィン系の、飽和又は不飽和の、Ｃ１〜Ｃ２０炭化水素基又はＣ４〜Ｃ４０ポリエーテル基もしくはＳｉ１〜Ｓｉ２０シロキサニル基であり、それぞれ所望によりＱ１により置換され、所望により一個以上の基Ｑ２により中断されているか、又は一個以上の基Ｑ２を含み、
Ｑ１が、ヘテロ原子を含む一価の基であり、
Ｑ２が、ヘテロ原子を含む二価の基であるか、又はヘテロ原子を含む三価の基であり、
Ｙが、ヘテロ原子を経由してケイ素に付加した加水分解可能な基であり、
ｋ、ｍ、ｐ、ｑ及びｔが、ゼロ以上であり、
ｓが、ゼロより大きく、
ｎが、２以上であり、
ｙが、０又は１であり、かつ
ｚが、０、１、２又は３である）、方法。
【請求項２】
Ｒ１及びＲ２が、直鎖状又は分岐鎖状もしくは環状のＣ１〜Ｃ６炭化水素基、又はＣ１〜Ｃ６炭化水素オキシ基であり、Ｒ３が、直鎖状又は分岐鎖状もしくは環状のＣ１〜Ｃ６炭化水素基である、請求項１に記載の方法。
【請求項３】
式ＩＩの少なくとも一個の単位を有する化合物が、化合物１〜６
【化４】
2014525478.tif 000004
から選択される、請求項１又は２に記載の方法。
【請求項４】
式ＩＩＩａ
【化５】
2014525478.tif 000005
の化合物が、式ＩＩＩの追加の加水分解可能な化合物である
（式中、Ｒ１１が、メチル、エチル、ビニル、アリル又はフェニルであり、
Ｒ５が、メチル、エチル、n-プロピル、イソプロピル、n-ブチル、イソブチル、sec-ブチル、tert-ブチル、ホルミル又はアセチルであり、ｚが、請求項１記載の値を有する）、請求項１〜３のいずれか一項に記載の方法。
【請求項５】
無機又は有機のブレンステッド酸もしくはブレンステッド塩基、あるいは無機又は有機のルイス酸もしくはルイス塩基から選択された触媒が存在する、請求項１〜４のいずれか一項に記載の方法。
【請求項６】
界面活性物質の存在下で行われる、請求項１〜５のいずれか一項に記載の方法。
【請求項７】
一種以上の溶剤の存在下で行われる、請求項１〜６のいずれか一項に記載の方法。
【請求項８】
0℃〜100℃で行われる、請求項１〜7のいずれか一項に記載の方法。
【請求項９】
一般式Ｉのポリ(ヒドロキシメチル)−官能性シロキサンが、ｋ＝ｍ＝ｐ＝ｑ＝０で製造される、請求項１〜３又は５〜８のいずれか一項に記載の方法。
【請求項１０】
一般式Ｉａ
【化６】
2014525478.tif 000006
（式中、Ｒ１、Ｒ２、Ｑ１、Ｑ２、ｋ、ｍ、ｐ、ｙ及びｓが、請求項１に定義した意味及び値を有し、
Ｒ２２が、環状又は非環式の、直鎖状又は分岐鎖状の、芳香族又は脂肪族もしくはオレフィン系の、飽和又は不飽和の、Ｃ１〜Ｃ２０炭化水素基又はＣ１〜Ｃ２０炭化水素オキシ基もしくはＣ４〜Ｃ４０ポリエーテル基であり、所望によりＱ１により置換され、所望により一個以上の基Ｑ２により中断されているか、又は一個以上の基Ｑ２を含み、ｌが、ゼロより大きく、
ｕ及びｖが、ゼロ以上であり、
かつｓとｋ、ｍ、ｐ及びｕの合計との比が1：10000〜10000：1である）のポリ(ヒドロキシメチル)−官能性シロキサン。
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
必要とされる患者において、出血または浮腫による障害または死亡を防止するための医薬組成物であって、ＳｅｒｐｉｎＦ２活性または濃度を低減させる有効量のＳｅｒｐｉｎＦ２結合分子を含み、前記ＳｅｒｐｉｎＦ２結合分子の投与が、前記患者における出血または浮腫による障害または死亡を防止する、医薬組成物。
【請求項２】
前記出血または浮腫は、神経、心臓、肝臓、膵臓、呼吸器、または腎臓の出血または浮腫である、請求項１に記載の医薬組成物。
【請求項３】
前記結合分子は、抗体、ペプチド、ＤＮＡアプタマー、または小分子から選択される、ＳｅｒｐｉｎＦ２阻害剤である、請求項１に記載の医薬組成物。
【請求項４】
前記ＳｅｒｐｉｎＦ２阻害剤は、抗体である、請求項３に記載の医薬組成物。
【請求項５】
前記ＳｅｒｐｉｎＦ２阻害剤は、２８〜９１ナノモル／ｋｇの用量範囲で投与される、請求項４に記載の医薬組成物。
【請求項６】
必要とされる患者において、組織プラスミノーゲン活性化因子（ＴＰＡ）毒性による障害または死亡を防止するための医薬組成物であって、ＳｅｒｐｉｎＦ２活性または濃度を低減させる有効量のＳｅｒｐｉｎＦ２結合分子を含み、前記ＳｅｒｐｉｎＦ２結合分子の投与が、ＴＰＡ毒性による障害または死亡を防止する、医薬組成物。
【請求項７】
前記ＴＰＡ毒性は、出血、器官浮腫、またはアポトーシスを引き起こす、請求項６に記載の医薬組成物。
【請求項８】
前記投与が、前記患者がＴＰＡに誘発される損傷の危険性にあることを判定する先行ステップを含む、請求項６に記載の医薬組成物。
【請求項９】
前記ＴＰＡ毒性は、虚血または外傷に起因する、請求項６に記載の医薬組成物。
【請求項１０】
前記ＴＰＡ毒性は、神経、心臓、肝臓、膵臓、呼吸器、または腎臓の損傷を引き起こす、請求項６に記載の医薬組成物。
【請求項１１】
前記ＴＰＡは、４８時間以内に事前に前記患者に投与されている、請求項６に記載の医薬組成物。
【請求項１２】
プラスミノーゲン活性化因子またはセリンプロテアーゼ酵素は、４８時間以内に事前に前記患者に投与されている、請求項６に記載の医薬組成物。
【請求項１３】
前記結合分子は、抗体、ペプチド、ＤＮＡアプタマー、または小分子から選択される、ＳｅｒｐｉｎＦ２阻害剤である、請求項６に記載の医薬組成物。
【請求項１４】
前記ＳｅｒｐｉｎＦ２阻害剤は、抗体である、請求項１３に記載の医薬組成物。
【請求項１５】
前記ＳｅｒｐｉｎＦ２阻害剤は、２８〜９１ナノモル／ｋｇの用量範囲で投与される、請求項１４に記載の医薬組成物。
【請求項１６】
アポトーシスの予防を、それを必要とする患者において行うための医薬組成物であって、ＳｅｒｐｉｎＦ２活性または濃度を低下させる有効量のＳｅｒｐｉｎＦ２結合分子を含み、前記ＳｅｒｐｉｎＦ２結合分子の投与が、前記患者におけるアポトーシスを予防する、医薬組成物。
【請求項１７】
前記アポトーシスは、神経、心臓、肝臓、膵臓、肺、または腎臓の細胞に生じる、請求項１６に記載の医薬組成物。
【請求項１８】
前記結合分子は、抗体、ペプチド、ＤＮＡアプタマー、または小分子から選択される、ＳｅｒｐｉｎＦ２阻害剤である、請求項１６に記載の医薬組成物。
【請求項１９】
前記ＳｅｒｐｉｎＦ２阻害剤は、抗体である、請求項１８に記載の医薬組成物。
【請求項２０】
前記ＳｅｒｐｉｎＦ２阻害剤は、２８〜９１ナノモル／ｋｇの用量範囲で投与される、請求項１９に記載の医薬組成物。
【請求項２１】
必要とされる患者において、長期虚血を防止するための医薬組成物であって、前記患者においてＳｅｒｐｉｎＦ２濃度または活性を低減させる有効量のＳｅｒｐｉｎＦ２結合分子を含み、前記ＳｅｒｐｉｎＦ２結合分子の投与が前記長期虚血を防止する、医薬組成物。
【請求項２２】
前記長期虚血は、少なくとも４０分間現れている、請求項２１に記載の医薬組成物。
【請求項２３】
前記長期虚血は、神経、心臓、肝臓、膵臓、肺、または腎臓の組織に生じる、請求項２１に記載の医薬組成物。
【請求項２４】
前記投与が、前記患者が神経損傷を示す神経症状を有することを判定する先行ステップを含む、請求項２１に記載の医薬組成物。
【請求項２５】
前記神経症状は、Ｒａｎｋｉｎ  １またはＮＩＨ  Ｓｔｒｏｋｅ  Ｓｃａｌｅ  ４よりも重度かまたはそれと同等として分類される、請求項２４に記載の医薬組成物。
【請求項２６】
前記結合分子は、抗体、ペプチド、ＤＮＡアプタマー、または小分子から選択される、ＳｅｒｐｉｎＦ２阻害剤である、請求項２１に記載の医薬組成物。
【請求項２７】
前記ＳｅｒｐｉｎＦ２阻害剤は、抗体である、請求項２６に記載の医薬組成物。
【請求項２８】
前記ＳｅｒｐｉｎＦ２阻害剤は、２８〜９１ナノモル／ｋｇの用量範囲で投与される、請求項２７に記載の医薬組成物。
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
駆動チェーン、特に自動二輪車の駆動チェーンを連続して洗浄及び潤滑するための装置であって、
前記駆動チェーンがその中に包囲される複数の区画に仕切られるように、相互に接続された上部ケーシング及び底部ケーシングから構成されるハウジングと、
前記ハウジングの各区画内に配置され、かつ駆動チェーンに向って半径方向内向きに設置されて、前記駆動チェーン上に媒体を供給する、複数のノズルと、
ブラシの毛が前記駆動チェーンに向けてかつ前記駆動チェーンと接触するように位置付けられ、前記ハウジングの前記区画の少なくとも１つの内部に取り付けられている、複数のブラシと、
前記駆動チェーンの洗浄及び潤滑中に媒体の残留物を収集及び排出するために、前記ハウジングの各区画の前記底部ケーシング内部に形成される、少なくとも１つの排水トラップ領域と、を備える、連続洗浄及び潤滑装置。
【請求項２】
前記ハウジングは、前記上部ケーシング及び前記底部ケーシングが閉状態にあるときに、前記駆動チェーンが前記ハウジングの各区画を通過できるようにするために、各区画内に通路開口部を画定する、請求項１に記載の連続洗浄及び潤滑装置。
【請求項３】
前記ハウジングが、前記上部及び底部ケーシングがはじかれて互いに離れて開き、そして開くように、前記上部ケーシングが前記底部ケーシングにヒンジ結合及びスナップ嵌めされている、請求項１又は２に記載の連続洗浄及び潤滑装置。